(57)【特許請求の範囲】
【請求項１】
ユーザ装置でマルチキャスト制御メッセージを受信するステップと、受信した前記マルチキャスト制御メッセージに応答してマルチキャストサービスを選択するステップとを含む無線通信の方法であって、前記マルチキャスト制御メッセージはマルチキャストサーバによってアナウンスされるものであり、
前記マルチキャスト制御メッセージは、複数のマルチキャストサービスのうちの少なくとも１つと関連する少なくとも１つのサポート要件を示し、前記少なくとも１つのサポート要件は、前記複数のマルチキャストサービスのうちの少なくとも１つをサポートするのに必要なユーザ装置が利用する電力比率である、方法。
【請求項２】
請求項１記載の方法であって、
前記受信したマルチキャスト制御メッセージに対応する加入契約情報を送信するステップを含む、方法。
【請求項３】
ユーザ装置から加入契約情報を受信するステップと、受信した前記加入契約情報に応答してマルチキャスト制御メッセージを前記ユーザ装置に送信するステップとを含む無線通信の方法であって、前記マルチキャスト制御メッセージはマルチキャストサーバによってアナウンスされるものであり、
前記マルチキャスト制御メッセージは、複数のマルチキャストサービスのうちの少なくとも１つと関連する少なくとも１つのサポート要件を示し、前記少なくとも１つのサポート要件は、前記複数のマルチキャストサービスのうちの少なくとも１つをサポートするのに必要なユーザ装置が利用する電力比率である、方法。
【請求項４】
請求項１又は３記載の方法において、前記加入契約情報が、マルチキャスト加入契約種別、支払い認証データ、及び課金情報のうちの少なくとも１つを含む、方法。
【請求項５】
請求項１又は３記載の方法において、各マルチキャストサービスが少なくとも１つのマルチキャストレートに対応する、方法。
【請求項６】
請求項５記載の方法において、前記マルチキャストサービスが少なくとも１つの加入者のリソースに応答して選択される方法。
【請求項７】
請求項５記載の方法であって、
前記選択されたマルチキャストサービスに対応する少なくとも１つのフィードバック信号を送信するステップ、及び
前記選択されたマルチキャストサービスに対応する少なくとも１つのフィードバック信号を受信するステップ、のうちの少なくとも１つを含み、
前記少なくとも１つのフィードバック信号が前記選択されたマルチキャストサービスにアクセス時間を伝達する方法。
【請求項８】
請求項５記載の方法において、前記マルチキャスト制御メッセージが、
多数の利用可能なマルチキャストサービス、
各利用可能なマルチキャストサービスに対する少なくとも１つのリソースしきい値、
各利用可能なマルチキャストサービスに対する少なくとも１つの識別子、
各利用可能なマルチキャストサービスに対する少なくとも１つの無線アクセス性能要求、及び
マルチキャストサービスの終了及び継続のうちの少なくとも１つの通知、のうちの少なくとも１つを含む、方法。
【請求項９】
請求項８記載の方法において、前記多数のマルチキャストサービスの各々が少なくとも１つのマルチキャストレートに対応し、前記多数の利用可能なマルチキャストサービスが優先順位付けされ、前記少なくとも１つのリソースしきい値が少なくとも１つの割り当てられた電力及びブロックエラーレート（ＢＬＥＲ）に対応する、方法。
【請求項１０】
請求項８記載の方法において、前記少なくとも１つの識別子が前記多数の利用可能なマルチキャストサービスの各々に関連する少なくとも１つのマルチキャストレートに対応する方法。
【発明の詳細な説明】
【技術分野】
【０００１】
本発明は通信に関し、特に、無線通信に関する。
【背景技術】
【０００２】
無線通信システムは無線サービスを地理領域内に位置している多くの無線又は移動体装置に提供する。無線通信システムにサポートされる地理的領域は無線通信システムによって空間的に区分された一般に「セル」といわれる領域に分割される。各セルは、理想的には蜂の巣模様における六角形で表されることになる。しかしながら、通常、各セルは、セルを囲む地形の地勢を含む様々な要素に依存して不規則な形状を有することになる。また、各セルはさらに２以上のセクタに分割される。各セルは一般に３つのセクタに分割され、各セルは例えば１２０度の範囲を持つ。
【０００３】
従来のセルラーシステムは無線若しくは移動体装置との信号通信の送受信をサポートするために地理的に分配された多数のセルサイト又は基地局からなる。各セルサイトはセル内の音声通信を扱う。さらに、セルラーシステムの全体的カバレッジエリアは全セルサイトに対するセルの集合体で画定されることになり、ここで、近くのセルサイトに対するカバレッジエリアは連続した通信カバレッジを確保するためにシステムのカバレッジエリアの外側境界において、可能な場合は、オーバーラップしている。
【０００４】
各基地局はそのセルにおける無線装置との通信のために少なくとも１つの無線機及び少なくとも１つのアンテナを備える。さらに、各基地局はまた移動交換局（ＭＳＣ）との通信のために送信機器を備える。移動交換局は、無線装置とインターネットのようなパケットデータネットワーク（ＰＤＮ）間だけでなく、無線装置間、無線装置と公衆交換電話網（ＰＳＴＮ）を介した有線装置間の呼を確立し維持する役目を担っている。基地局コントローラ（ＢＳＣ）は１以上の基地局に対し無線リソースを与え、この情報をＭＳＣに中継する。
【０００５】
アクティブな時、無線装置は少なくとも１つの基地局からフォワードリンク、即ち、ダウンリンクを介して信号を受信し、少なくとも１つの基地局にリバースリンク、即ち、アップリンクを介して信号を送信する。セルラー通信システムにおいてリンクやチャネルを規定するための数々の手法、例えば、時分割多重アクセス（ＴＤＭＡ）、符号分割多重アクセス（ＣＤＭＡ）及び直交周波数分割多重アクセス（ＯＦＤＭＡ）等が開発されてきた。
【０００６】
ＴＤＭＡ通信システムでは、無線スペクトルはタイムスロットに分割される。各タイムスロットに対して一人のユーザだけが送信及び／又は受信できる。従って、ＴＤＭＡは各ユーザが彼らの情報を割り当てられた時間中に送信するように送信と受信間の正確なタイミングを必要とする。
【０００７】
ＣＤＭＡ技術では、各無線チャネルはチャネル化するための符号（例えば、拡散符号、拡散スペクトル符号又はＷａｌｓｈ符号）によって区別される。各区別されたチャネル化符号は異なる情報ストリームを符号化するために用いられる。そして、これらの情報ストリームは同時送信のために１以上の異なるキャリア周波数で変調される。受信機は受信信号を復号化するための適切なチャネル化符号を用いて受信信号から特定のストリームを回復する。
【０００８】
ＯＦＤＭＡシステムでは、キャリア信号は数学的に時間直交する連続波形のセットを用いて伝送される多数のサブキャリア又はトーンによってキャリア信号が規定される。各無線チャネルは個別のチャネル化トーンによって区別される。直交連続波形を用いることにより、その直交性により互いが干渉するのが防止され、トーンの送信及び／又は受信が達成される。
【０００９】
無線電話の爆発的普及とともにサービスプロバイダは新しい成長の機会を開拓してきた。１つのそのような期待は、マルチキャストサービスを通じてセルカバレッジ内の加入している無線ユーザにマルチメディアのコンテンツを提供することに集中してきた。本開示の目的において、マルチキャストとは、特約を持っている複数の受信者（例えば、加入者）への１つのソースによるコンテンツの送信に一致する。一例において、ストリーミングビデオ及び／又はオーディオのようなマルチメディアのコンテンツはエンターテイメントやニュースのサービスプロバイダから加入者へのＭＢＭＳを用いた無線通信ネットワークを介してマルチキャストされる。
【００１０】
しかしながら、マルチキャストサービスは加入者の性能に関する問題を引き起こしている。ＭＢＭＳのようなマルチキャストサービスにアクセスして受信するために、各加入者はそのような特徴のサービスに対応した無線装置（例えば、ユーザ端末装置）を持っていなければならない。例えば、加入者の無線装置は受信マルチメディアコンテンツをユーザに対して変換するディスプレイがなくてはならない。特に、各加入者はマルチメディアサービスにアクセスして受信するための充分な利用可能なチャネル化符号を有していなければならない。結果として、各加入者は適切な特約を持っていても、ＭＢＭＳのようなマルチキャストサービスに上手くアクセスして受信するための他の必要事項に欠けているかもしれない。
【００１１】
結果として、ＭＢＭＳ等のマルチキャストサービスを加入者に対して起動する方法への要求が存在する。より詳細には、然るべき特約を持つ加入者が、ＭＢＭＳのようなマルチキャストサービスに上手くアクセスして受信するために有効な必要事項を加入者自身が持っているかを判断できるようにする信号技術が必要である。
【発明の開示】
【課題を解決するための手段】
【００１２】
本発明はＭＢＭＳ等の加入者に対するマルチキャストサービスの起動方法を提供するものである。より詳しくは、本発明の方法は、適切な特約を有する加入者が、加入者自身がＭＢＭＳのようなマルチキャストサービスに上手くアクセスして受信するための有効な必要事項を持っているか否かについての判断を可能とするための信号技術を提供するものである。本開示の目的に対して、信号技術とは、加入者とその関連するＭＢＭＳのようなマルチキャストサービスを起動するネットワークインフラとの間で伝送されたメッセージに相応するものとなる。本開示において、マルチキャストサービスとは、特約を持つ複数の受信者（例えば、加入者）への１つのソースによる特定のコンテンツの指定されたマルチキャストレートでの送信に相応するものとなる。
【００１３】
代表的実施例において、本発明の方法はマルチキャスト制御メッセージを受信するステップを含む。マルチキャスト制御メッセージは次の、利用可能な多数のマルチキャストサービス、各利用可能なマルチキャストサービスの１以上のリソースしきい値、各利用可能なマルチキャストサービスの１以上の識別子、各利用可能なマルチキャストサービスの１以上の無線アクセス性能要求、並びに／又は、マルチキャストサービスの終了及び／若しくは継続の通知のうちの１以上についての情報を含むことができる。マルチキャスト加入契約種別、支払い認証データ及び課金情報のような加入契約情報が送信され、受信されたマルチキャスト制御メッセージに対応するようにしてもよい。受信されたマルチキャスト制御メッセージに応答してマルチキャストサービスが選択されることになる。一度マルチキャストサービスが選択されると、１以上のフィードバック信号が選択されたマルチキャストサービスに対応して送信されるようにしてもよい。例えば、このフィードバック信号は選択されたマルチキャストサービスへのアクセス時間を伝達するようにしてもよい。
【００１４】
他の代表的実施例においては、本発明の方法は加入契約情報を受信するステップを含む。この加入契約情報は、例えばマルチキャスト加入契約種別、支払い認証データ及び課金情報を含むようにしてもよい。受信された加入契約情報に応答して、マルチキャスト制御メッセージが送信されることになる。マルチキャスト制御メッセージは次の、多数の利用可能なマルチキャストサービス、各利用可能なマルチキャストサービスの１以上のリソースしきい値、各利用可能なマルチキャストサービスの１以上の識別子、各利用可能なマルチキャストサービスの１以上の無線アクセス性能要求、並びに／又は、マルチキャストサービスの終了及び／若しくは継続の通知のうちの１以上についての情報を含んでもよい。その後、方法は、例えば、選択されたマルチキャストサービスに対応したサービスへのアクセス時間を伝達する１以上のフィードバック信号を受信するステップを含んでもよい。
【００１５】
特許請求の範囲及び付随する図面との関連で下記の発明の詳細な説明に記載する内容を読めば、これら又は他の実施例は当業者には明らかのものとなるであろう。
【発明を実施するための最良の形態】
【００１６】
本発明はＭＢＭＳ等の加入者に対するマルチキャストサービスの起動方法を提供するものである。より詳しくは、本発明の方法は、適切な特約を有する加入者が、加入者自身がＭＢＭＳのようなマルチキャストサービスに上手くアクセスして受信するための有効な必要事項を持っているか否かについての判断を可能とするための信号技術を提供するものである。本開示の目的に対して、信号技術とは、加入者とその関連するＭＢＭＳのようなマルチキャストサービスを起動するネットワークインフラとの間で伝送されたメッセージに相応するものとなる。本開示において、マルチキャストサービスとは、特約を持つ複数の受信者（例えば、加入者）への１つのソースによる特定のコンテンツの指定されたマルチキャストレートでの送信に相応するものとなる。
【００１７】
図１を参照すると、本発明の実施例の代表的フローチャート１００が示される。より詳細には、フローチャート１００は、適切な特約を持つ加入者がＭＢＭＳのようなマルチキャストサービスに上手くアクセスして受信するための有効な必要事項を持っているか否かについての判別を可能とする信号処理の方法を図示している。この判別をもって、加入者は、例えば、マルチキャストサービスを選択し、又は択一的に、アクセスして受信しているマルチキャストサービスから選ぶことになる。
【００１８】
さらに、マルチキャストサービスを、例えば、ベーシック(基本)及びプレミアム(高級)マルチキャストサービス等のような２以上の段階を有する加入者ベースのサービスとここに定義することもできる。各マルチキャストサービスがいくつかのコンテンツのマルチキャストストリームの１つ及び／又はコンテンツのストリームがマルチキャストされるいくつかのレートの１つに相応するようにしてもよい。例えば、ベーシックサービスがモノクロ画像を第１のマルチキャストレートで提供する一方、プレミアムサービスが第１のマルチキャストレートと比べて高い第２のマルチキャストレートでストリーミングカラー画像を提供するようにしてもよい。結果として１つの実施例では、本発明の方法は、各加入者に選択されるサービスを、例えばマルチキャスト制御メッセージに応答して（例えば、ベーシックからプレミアムへ及び／又はプレミアムからベーシックへ）サービスを上げたり下げたりする調節をする変更の能力を提供することができる。
【００１９】
フローチャート１００に相応する方法は、最初に加入契約情報を加入者から無線ネットワークへ送信する（ステップ１１０）。加入契約情報は加入者に関連する様々なデータを含むことができる。加入契約情報が、例えば、加入契約種別のようなマルチキャストサービスプラン、支払い認証データ、及び／又は課金情報を含んでもよい。ここでマルチキャスト加入契約種別が予め指定されたマルチキャストサービスの選好に一致するようにしてもよい。
【００２０】
加入契約情報を送信するステップは、数ある方法のうちのいずれであっても実現できる。例えば、セル内の各加入者がネットワークにログインするとその加入契約を対応する基地局へ伝達するようにしてもよい。そして、この加入契約情報が基地局コントローラへ送信され、同様にこの情報を移動交換局に送信するようにしてもよい。その代わりに、加入契約情報が加入者のユーザ端末装置からＵＭＴＳ地上無線接続網（ＵＴＲＡＮ）に転送されるようにしてもよい。
【００２１】
加入契約情報が送信されると、この方法はマルチキャスト制御メッセージを受信するステップを含む（ステップ１２０）。マルチキャスト制御メッセージが送信された加入契約情報に対応するようにしてもよい。より詳しくは、マルチキャスト制御メッセージが、加入者が上手くマルチキャストサービスにアクセスして受信するための有効な必要事項を持っているかを判断する様々なデータを含んでもよい。１つの実施例では、加入者はユーザ端末装置のリソースを保護するためにマルチキャスト制御メッセージに基づいて自律的にマルチキャストコンテンツを受信し始めることができる。加入者が異なるマルチキャストサービスの利用可能性に適切に応答するために、このマルチキャスト制御メッセージが無線ネットワークコントローラ（ＲＮＣ）によってユーザ端末装置に送信されるようにしてもよい。このマルチキャスト制御メッセージがＭＢＭＳ制御チャネル（ＭＣＣＨ）を介して無線リソース制御（ＲＲＣ）を用いて搬送されるようにしてもよい。
【００２２】
各マルチキャスト制御メッセージは各利用可能なマルチキャストサービスに対して１以上のリソースしきい値を含む。代表的な動作可能な確立されたリソースしきい値は加入者のユーザ端末装置からの割り当てられた電力（例えば、要求Ｅc/Ｉoc）及び／又はブロックエラーレート（ＢＬＥＲ）に一致するようにしてもよい。例えば、割り当てられた電力しきい値がマルチキャスト制御メッセージにおいてプレミアムサービスをサポートするのに５０％で規定され、ベーシックサービスをサポートするのに必要な電力が２０％に設定されると、加入者は自己の電力利用率を評価する。従って、特約があるという前提で、加入者がその電力利用率が３０％であると判定すると、ユーザ端末装置はベーシックサービスを閲覧しようと決定し、逆に６０％であると判定すると、加入者がプレミアムサービスを選択するように仕向けるようにすればよい。
【００２３】
さらに、各マルチキャスト制御メッセージはまた、少なくとも１つの識別子を含むことができる。各マルチキャストサービスはそれに関連する１以上の識別子を持つようにすればよい。同様に、各識別子は少なくとも１つの利用可能なマルチキャストレートに一致するようにしてもよい。ここで、少なくとも１つのマルチキャストレートが１つのマルチキャストサービスに対して指定されるようにしてもよい。これは、レートスプリッティング等、種々の異なる技術によってもたらされるものである。本開示の目的に対して、レートスプリッティングとは、サービスを質及び／又はコンテンツ及び／又はマルチキャストレートの異なるグレードに分けることであるといえる。なお、各マルチキャストレートはまた、本開示の目的との関係では、コンテンツのいくつかのマルチキャストストリームの１つ及び／又はコンテンツのストリームがマルチキャストされるいくつかのレートの１つに一致させてもよいことが注目される。マルチキャストサービスのレートスプリッティングの例示において、ベーシックサービス及びプレミアムサービスは、１つのオリジナルマルチキャストサービスから作られるようにしてもよく、ここではベーシックサービスがモノクロ画像を第１のマルチキャストレートで提供する一方、プレミアムサービスが第１のマルチキャストレートと比べて高い第２のマルチキャストレートでストリーミングカラー画像を提供するようにしてもよい。結果として、１以上のマルチキャストレートはネットワークインフラによって各マルチキャストサービスに対して指定され、モノクロ画像を提供するベーシックマルチサービスは指定された１２ｋＢ/ｓのマルチキャストレートを有する一方、プレミアムマルチキャストサービスはストリーミングカラー画像を指定された３６ｋＢ/ｓのマルチキャストレートを提供するようにしてもよい。
【００２４】
マルチキャスト制御メッセージは多数の利用可能なマルチキャストサービスを含むようにしてもよい。この情報から加入者はその加入契約を利用可能なマルチキャストサービスに一致するように試みることができる。選択を簡易にし、ネットワークインフラ上での負担を減らすために多数の利用可能なマルチキャストサービスは優先順位がつけられるようにしてもよい。例えば、時間に左右されるマルチキャストコンテンツは時間に左右されないコンテンツよりも高い優先順位が与えられるようにしてもよい。さらに、ベーシックサービスはプレミアムサービスよりも優先され、又は、プレミアムサービスはベーシックサービスよりも優先されるようにしてもよい。マルチキャストサービスの優先順位付けの動機付けは、例えば高められた接続性及び／又は高く設定された加入契約料金等としてもよい。
【００２５】
さらに、マルチキャスト制御メッセージはまた、各利用可能なマルチキャストサービスに対する無線アクセス性能情報をコアネットワーク（ＣＮ）によって搬送されて設定されるサービスの質のパラメータ（ＱｏＳ）に基づいて構築するようにしてもよい。加入者がマルチキャストサービスの無線アクセス性能を満足すると、加入者は１又はそれ以上のマルチキャストサービスにアクセスできることになる。しかしながら、無線アクセス性能の要求が満足されないと、加入者は１又はそれ以上のマルチキャストサービスへのアクセスを中止しなければならない。
【００２６】
マルチキャスト制御メッセージがマルチキャストサービスのステータスに関連した情報も追加的に含むようにしてもよい。マルチキャスト制御メッセージは、例えば、１又はそれ以上のマルチキャストサービスが終了したことを加入者に知らせるようにしてもよい。同様にマルチキャスト制御メッセージは１又はそれ以上のマルチキャストサービスの継続の通知も含んでもよい。
【００２７】
マルチキャスト制御メッセージは加入者のユーザ端末装置によってＵＴＲＡＮのようなネットワークインフラから無数の代替可能な機会のうちの１つの機会において受け取られるであろうことを付記しておく。最初にマルチキャスト制御メッセージがマルチキャストサービスの起動中に受け取られるようにすればよい。そうすることで、加入者はマルチキャストサービスからのコンテンツの最初の受信を起動する前にマルチキャスト制御メッセージを受け取ることができるようになる。従って、例えば、加入者にセル内のマルチキャストサービスの利用可能性を知らせるためのマルチキャストサービス利用可能メッセージがＲＮＣによって生成されるようにしてもよい。代わりに、マルチキャスト制御メッセージがリアルタイムで受信されるようにしてもよい。ここで、マルチキャスト制御メッセージに関連する情報によってサービスパラメータの変更及び／又は無線条件の変更に応答するためのパラメータの再構築を可能としてもよい。例えば、マルチキャストサービスの優先順位のリストが変わるようにしてもよいし、セルサイズが、異なる電力値が各マルチキャストサービスに関連するように変化するようにしてもよいし、並びに／又は、加入契約情報が特定のサービスのマルチキャストサービスの終了及び／若しくは継続するために必要となるＲＮＣを変えるようにしてもよい。
【００２８】
マルチキャスト制御メッセージの受信に続いて、マルチキャストサービスの選択が必要となるようにしてもよい（ステップ１３０）。マルチキャストサービスの選択はマルチキャスト制御メッセージ内で提供される１以上のパラメータに基づくようにしてもよい。さらに、マルチキャストサービスの選択はまた、加入者の内部リソースの管理にも基づくようにしてもよい。このシナリオにおいて、加入者は１つのマルチキャストサービスを選択して性能を最大にするか、その代わりに、他のマルチキャストサービスを選択して現在又はすぐに利用される他の無線サービスをサポートするようにしてもよい。
【００２９】
上記のステップの結果として、本方法はマルチキャスト加入者に、例えばマルチキャストしているサービスへのアクセスを介して、マルチメディアコンテンツの送信を起動するためのパラメータのセットを提供する。マルチキャスト加入者がその加入契約特約を格下げしてマルチキャストサービスを選択するという様々な状況が起こり得る。例えば、この格下げはここに記載される様々な要素によってもたらされ得る。そのような状況下で、加入者はマルチキャストサービスプロバイダからその関連した加入契約に対する残高を要求できるようにしてもよい。同様に、加入者がその加入契約特約の格上げを選択した場合、マルチキャストサービスプロバイダは適正な課金方法を定量化するようにしてもよい。
【００３０】
上述のシナリオのいずかれによって、この方法は選択されたマルチキャストサービスに相応する１又はそれ以上の信号を送信するステップを含んでもよい（ステップ１４０）。この信号は加入者からネットワークインフラ（例えば、ＵＴＲＡＮ）へ送信されるようにしてもよい。適切に残高（例えば、格下げ時）やサービス料金（例えば、格上げ時）を記録するために、信号が選択されたマルチキャストサービスに関連したアクセス時間情報を伝達するようにしてもよい。
【００３１】
図２を参照すると、本発明のもう１つの実施例の代表的フローチャート２００が図示される。より具体的には、フローチャート２００は、適切な特約を持つ加入者がＭＢＭＳのようなマルチキャストサービスに上手くアクセスして受信するために有効な必要事項を有しているか否かを判別するための信号処理の方法を図示している。この判別とともに、加入者は、例えば、マルチキャストサービスを選択し、又は択一的に、アクセスして受信しているマルチキャストサービスから選ぶことになる。
【００３２】
フローチャート２００に対応する方法は最初に加入者から加入契約情報を受信する（ステップ２１０）。加入契約情報は、例えば、加入契約種別、支払い認証データ、及び／又は課金情報等のマルチキャストサービスプランのような加入者に関する種々のデータからなるようにしてもよい。ここで、マルチキャスト加入契約種別は予め指定されたマルチキャストサービスの嗜好に対応するようにしてもよい。
【００３３】
加入契約情報の受信ステップはいかなるやり方を用いて達成してもよい。一例では、基地局はセル内の各加入者が無線ネットワークにログインすると関連する加入契約(情報)を受信するようにしてもよい。この加入契約情報は基地局コントローラに中継され、今度はこの情報を移動交換局に再送信するようにしてもよい。代わりに、加入契約情報は加入者からＵＴＲＡＮによって受信されるようにしてもよい。
【００３４】
その後、この方法はマルチキャスト制御メッセージを送信するステップを提供する（ステップ２２０）。マルチキャスト制御メッセージは受信された加入契約情報に相応するようにしてもよい。より詳しくは、マルチキャスト制御メッセージは加入者が、自身がマルチキャストサービスに上手くアクセスして受信するために有効な必要事項を有しているかを判別するための種々のデータを含むようにしてもよい。マルチキャスト制御メッセージは、加入者が適切に異なるマルチキャストサービスの利用可能性に対応できるようにＲＮＣによってユーザ端末装置に送信されるようにしてもよい。このマルチキャスト制御メッセージはＲＲＣを利用してＭＣＣＨを介して搬送されるようにしてもよい。
【００３５】
各マルチキャスト制御メッセージは各利用可能なマルチキャストサービスに対する少なくとも１つのリソースしきい値を含むようにしてもよい。代表的な動作可能な確立されたリソースしきい値は加入者のユーザ端末装置から割り当てられた電力（例えば、要求Ｅc/Ｉoc）及び／又はブロックエラーレート（ＢＬＥＲ）に対応するようにしてもよい。１つの実施例では、割り当てられた電力しきい値がマルチキャスト制御メッセージにおいてプレミアムサービスをサポートするのに５０％で規定され、ベーシックサービスをサポートするのに必要な電力が２０％に設定されると、加入者は自己の電力利用率を評価する。従って、加入者がその電力利用率が３０％であると判定すると、ユーザ端末装置はベーシックサービスを閲覧しようと決定し、逆に６０％であると判定すると、適切な特約を持つ加入者がプレミアムサービスを選択するように仕向けるようにすればよい。
【００３６】
さらに、各マルチキャスト制御メッセージはまた少なくとも１つの識別子を含むようにしてもよい。各マルチキャストサービスがそれに関連する１以上の識別子を有するようにしてもよい。同様に、各識別子が少なくとも１つの利用可能なマルチキャストレートに対応するようにしてもよい。ここで、少なくとも１つのマルチキャストレートが１つのマルチキャストサービスに対して指定されるようにしてもよい。これは、レートスプリッティング等、種々の異なる技術によってもたらされるようにしてもよい。
【００３７】
マルチキャスト制御メッセージが多数の利用可能なマルチキャストサービスを含むようにしてもよい。この情報から加入者はその加入契約が利用可能なマルチキャストサービスに一致するように試みることになる。選択を簡易にし、ネットワークインフラ上での負担を減らすために多数の利用可能なマルチキャストサービスは優先順位がつけられるようにしてもよい。
【００３８】
さらに、マルチキャスト制御メッセージはまた、各利用可能なマルチキャストサービスに対する無線アクセス性能情報をＣＮによって搬送されて設定されるＱｏＳに基づいて構築するようにしてもよい。加入者がマルチキャストサービスの無線アクセス性能を満足すると、加入者は１又はそれ以上のマルチキャストサービスにアクセスできることになる。しかしながら、無線アクセス性能の要求が満足されないと、加入者は１又はそれ以上のマルチキャストサービスへのアクセスを中止しなければならない。
【００３９】
マルチキャスト制御メッセージがマルチキャストサービスのステータスに関連した情報も追加的に含むようにしてもよい。マルチキャスト制御メッセージが、例えば、１又はそれ以上のマルチキャストサービスが終了したことを加入者に知らせるようにしてもよい。同様にマルチキャスト制御メッセージが１又はそれ以上のマルチキャストサービスの継続の通知も含むようにしてもよい。
【００４０】
マルチキャスト制御メッセージが送信された後、マルチキャスト加入者が、例えばマルチキャストしているサービスのアクセスを介してマルチメディアコンテンツの送信を起動するようにしてもよい。一度アクセスが起動されると、ネットワークインフラ（例えば、ＵＴＲＡＮ）が加入者からのフィードバックを要求するようにしてもよい。このフィードバックは各加入者による選択されたマルチキャストサービスに対応する１以上の信号を受信するステップを含むようにしてもよい（ステップ２３０）。各フィードバック信号が対応する加入者の属性を提供してＵＴＲＡＮにサービス使用を知らせるようにしてもよい。より詳しくは、フィードバック信号が加入者によって選択されたマルチキャストサービスに関連するアクセス時間情報を伝達するようにしてもよい。結果として、各フィードバック信号はまた、加入者が彼らのサービスを（例えばプレミアムからベーシックへ）格下げしたかどうかを伝達して残高を加入者の勘定に供給し、及び／又は、加入者が彼らのサービスを（例えばベーシックからプレミアムへ）格上げしたかどうかを伝達してサービス料金を加入者の勘定に加算するようにしてもよい。
【００４１】
特徴ある発明が解説的な実施例を参照して記載されたが、この記載は限定的な意味合いで解釈されるものではない。本発明が記載されてきたが、特許請求の範囲に記載されるように、発明の精神から離れることなくこの記載を参照すれば、解説的な実施例に対する様々な変更例は発明の追加的な実施例と同様に、通常の当業者にとって明らかであろうことが理解される。結果として、方法、システム及びその部分並びに記載された方法及びシステムの部分は、無線装置、基地局、基地局コントローラ、及び／又は移動交換局のような異なる位置で実現でき、例えばＣＤＭＡ、ＯＦＤＭＡ等のような様々な多重アクセス技法と組み合わせて採用される。さらに、記載されたシステムを実現し使用するために必要な処理回路は、通常の当業者であれば理解されるであろう特別用途向けＩＣ、ソフトウエアによる処理回路、ファームウエア、プログラム可能なロジックデバイス、ハードウエア、ディスクリート部品又は上記の部品を組み合わせて構成したものにおいて、本開示の利益とともに実現される。当業者であれば、ここに図示され記述された代表的な適用例に厳密に従うことなく、そして、本発明の精神と範囲から逸脱することなく、これら及び様々な他の変更例、構成例及び方法が本発明に対してなされることが直ちに理解できるであろう。特許請求の範囲は本発明の真の範囲内に含まれるいかなる変更例や実施例をも含むものであることが意図されている。
【図面の簡単な説明】
【００４２】
本発明は付随する図面を参照して実施例の記載を読むことでより理解が深まるであろう。
【図１】図１は本発明の一実施例によるフローチャートである。
【図２】図２は本発明の他の実施例によるフローチャートである。
【図１】
0004664639.tif 000002
【図２】
0004664639.tif 000003